(57)【要約】【課題】制御基板の形状が送風部を有した筒状部の形状に制約されることなく、実装部品を配置するスペースを広く取ることができ、装置のサイズを小さくすることができる換気装置を提供する。【解決手段】室内１と室外２を連通するように、壁部３に設けられる風洞パイプ４に装着させる形状で内部に送風部７を有した筒状部８とフランジ部９によりなる本体フレーム１０と、モータ６停止時に室内１への外気侵入を抑制するシャッター部１４を備え、シャッター部１４を駆動する駆動部１８を備え、駆動部１８を制御する制御基板１９をフランジ部９に対して垂直に配置することを特徴とする。【選択図】図１
2008241103.tif 000002
【特許請求の範囲】
【請求項１】
室内と室外を連通するように、壁部に設けられる風洞パイプに装着させる形状で内部にファンとモータからなる送風部を有し、フランジ部と前記フランジ部を通過させて前記風洞パイプへ連通させる筒形状に形成した筒状部よりなる本体フレームと、前記フランジ部を覆うように設けられる形状で中央部に通風開口が形成される前面パネルと、前記本体フレームの室内側において複数のシャッター板から構成し開閉動作をさせて、モータ停止時に前記筒状部から前記通風開口を通して室内への外気侵入を抑制するシャッター部と、前記シャッター部を駆動する駆動部とを備え、前記駆動部を制御する制御基板は、前記フランジ部に対して垂直に配置することを特徴とする換気装置。
【請求項２】
制御基板は、前記本体フレームの上部に設置することを特徴とする請求項１記載の換気装置。
【請求項３】
制御基板は、はんだ面を前記本体フレーム上部方向へ向けて配置したことを特徴とする請求項１記載の換気装置。
【請求項４】
制御基板は、難燃性の樹脂で形成された回路ボックスに完全に覆われて配設されることを特徴とする請求項１記載の換気装置。
【請求項５】
回路ボックスは、前記フランジ部と平行な底面を持つ回路ケースと回路カバーにより構成し、前記制御基板は前記回路ケースの底面に対して垂直にして挿入し、前記回路カバーで押さえて固定することを特徴とする請求項４記載の換気装置。
【請求項６】
回路ボックスは、前記フランジ部に設けたフランジ開口部に嵌合させ、フランジ部の一部を回路ボックスが兼ねた構成とすることを特徴とする請求項４記載の換気装置。
【請求項７】
前記シャッター部と前記フランジ部の間に前記筒状部に相対する位置に気密開口を備えた気密板を設け、その気密板には気密開口を囲う形状で前記筒状部に内接するリブを円筒状に設けることを特徴とする請求項１記載の換気装置。
【請求項８】
ファンを遠心ファンとし、前記気密開口の内縁をオリフィス形状に形成することを特徴とする請求項７記載の換気装置。
【請求項９】
シャッター部は、前記気密板と一体に取り外し可能な構造になっていることを特徴とする請求項７記載の換気装置。
【請求項１０】
駆動部に印加する電圧は、シャッター部を開くときに対して保持するときを低くすることを特徴とする制御基板を搭載した請求項１記載の換気装置。
【請求項１１】
駆動部に印加する電圧は、シャッター部を開くときに前記駆動部の定格の電圧に対して高くすることを特徴とする制御基板を搭載した請求項１０記載の換気装置。
【発明の詳細な説明】
【技術分野】
【０００１】
本発明は、電気式シャッターを有する換気装置に関する。
【背景技術】
【０００２】
従来、この種の換気装置は本体フレームの室内側に設けたフランジ部を覆うシャッター部を備え、そのシャッター部を駆動する駆動部を制御する制御基板をフランジ部に平行な平面に配設したものが知られている（例えば、特許文献１参照）。
【０００３】
以下、その換気装置について図５および図６を参照しながら説明する。
【０００４】
室内（図示せず）と室外（図示せず）を連通するように、壁部に設けられる風洞パイプ（図示せず）に装着させる形状で内部にファン１０１とモータ１０２からなる送風部１０３を有した筒状部１０４とフランジ部１０５によりなる本体フレーム１０６と、この本体フレーム１０６のフランジ部１０５を覆うように設けられる形状で中央部に通風開口が形成される前面パネル１０７と前記本体フレーム１０６の全面を被冠し、開閉動作する複数のシャッター板１０８を有し、通風可能とするシャッター部１０９を備え、前記シャッター部１０９を駆動する駆動部１１０を備え、前記駆動部１１０を制御する制御基板１１１を筒状部１０４を避けるような形状に形成し、フランジ部１０５と同一平面状に配設している。
【特許文献１】特開平５−９９４６６号公報（図２、図４）
【発明の開示】
【発明が解決しようとする課題】
【０００５】
このような従来の換気装置では、フランジ部に配置する制御基板の形状が筒状部の形状に制約され、また、シャッター部に干渉しないように制御基板の配置方向が制約され、制御基板の形状を異型にする必要があり、多くの実装部品を配置するためには装置を大きくする必要があるという課題がある。
【０００６】
本発明は、このような従来の課題を解決するものであり、制御基板の形状が筒状部の形状に制約されることなく、シャッター部に干渉せずに制御基板を配置し、実装部品を配置するスペースを広く取ることができ、多くの実装部品を配置しても装置のサイズを小さくすることができる換気装置を提供することを目的とする。
【課題を解決するための手段】
【０００７】
本発明の換気装置は、上記目的を達成するために、室内と室外を連通するように、壁部に設けられる風洞パイプに装着させる形状で内部にファンとモータからなる送風部を有し、フランジ部と前記フラン時部を通過させて前記風洞パイプへ連通させる筒形状に形成した筒状部よりなる本体フレームと、前記フランジ部を覆うように設けられる形状で中央部に通風開口が形成される前面パネルと、前記本体フレームの室内側において複数のシャッター板から構成し開閉動作をさせて、モータ停止時に前記筒状部から前記通風開口を通して室内への外気侵入を抑制するシャッター部と、前記シャッター部を駆動する駆動部とを備え、前記駆動部を制御する制御基板は、前記フランジ部に対して垂直に配置することを特徴とするものである。
【０００８】
また、他の手段は、制御基板は、前記本体フレームの上部に設置することを特徴とするものである。
【０００９】
また、他の手段は、制御基板は、はんだ面を本体フレーム上部方向へ向けて配置したことを特徴とするものである。
【００１０】
また、他の手段は、制御基板は、難燃性の樹脂で形成された回路ボックスに完全に覆われて配設されることを特徴とするものである。
【００１１】
また、他の手段は、回路ボックスは、前記フランジ部と平行な底面を持つ回路ケースと回路カバーにより構成し、前記制御基板は前記回路ケースの底面に対して垂直にして挿入し、前記回路カバーで押さえて固定することを特徴とするものである。
【００１２】
また、他の手段は、回路ボックスを、フランジ部に設けたフランジ開口部に嵌合させ、フランジ部の一部を回路ボックスが兼ねた構成とすることを特徴とするものである。
【００１３】
また、他の手段は、前記シャッター部と前記フランジ部の間に前記筒状部に相対する位置に気密開口を備えた気密板を設け、その気密板には気密開口を囲う形状で前記筒状部に内接するリブを円筒状に設けることを特徴とするものである。
【００１４】
また、他の手段は、ファンを遠心ファンとし、前記気密開口の内縁をオリフィス形状に形成することを特徴とするものである。
【００１５】
また、他の手段は、シャッター部は、前記気密板と一体に取り外し可能な構造になっていることを特徴とするものである。
【００１６】
また、他の手段は、駆動部に印加する電圧は、シャッター部を開くときに対して保持するとき低くすることを特徴とする制御基板を搭載したものである。
【００１７】
また、他の手段は、駆動部に印加する電圧は、シャッター部を開くときに前記駆動部の定格の電圧に対して高くすることを特徴とする制御基板を搭載したものである。
【発明の効果】
【００１８】
本発明によれば、室内と室外を連通するように、室内と室外を連通するように、壁部に設けられる風洞パイプに装着させる形状で内部にファンとモータからなる送風部を有し、フランジ部と前記フラン時部を通過させて前記風洞パイプへ連通させる筒形状に形成した筒状部よりなる本体フレームと、前記フランジ部を覆うように設けられる形状で中央部に通風開口が形成される前面パネルと、前記本体フレームの室内側において複数のシャッター板から構成し開閉動作をさせて、モータ停止時に前記筒状部から前記通風開口を通して室内への外気侵入を抑制するシャッター部と、前記シャッター部を駆動する駆動部とを備え、前記駆動部を制御する制御基板は、前記フランジ部に対して垂直に配置することにより、歩留まりの良い制御基板が作成でき、制御基板上の実装部品を配置するスペースを広く取ることができ、実装部品が増加しても装置のサイズを小さくすることができるという効果のある換気装置を提供することができる。
【００１９】
また、制御基板は、前記本体フレームの上部に設置することにより、制御基板に水滴が付着することなく、より信頼性が高くなるという効果のある換気装置を提供することができる。
【００２０】
また、制御基板は、はんだ面を、本体フレーム上部方向へ向けて配置したことにより、はんだ面からの放熱を促進させ、実装部品の温度上昇を低減することができ、また、リード線の被覆が実装部品の発熱にさらされたり、実装部品と干渉することが少なくなり、より信頼性が高まるという効果のある換気装置を提供することができる。
【００２１】
また、制御基板は、難燃性の樹脂で形成された回路ボックスに完全に覆われて配設されることにより、比較的高価である難燃性の樹脂の使用量を低減しながら信頼性が高まるという効果のある換気装置を提供することができる。
【００２２】
また、回路ボックスは、前記フランジ部と平行な底面を持つ回路ケースと回路カバーにより構成し、前記制御基板は前記回路ケースの底面に対して垂直にして挿入し、前記回路カバーで押さえて固定することにより、制御基板の平面部を押さえながら挿入することがないので、制御基板の割れの可能性が低く、実装部品を手で押すことがないため、はんだクラックを発生する可能性が低いという効果のある換気装置を提供することができる。
【００２３】
また、回路ボックスは、前記フランジ部に設けたフランジ開口部に嵌合させ、フランジ部の一部を回路ボックスが兼ねた構成とすることにより、制御基板と本体枠表面との間をフランジ部と回路ボックスの２重構造とすることがないため、装置を薄型に形成することができ、また、制御基板のサイズを確保しながら装置を小さくできるという効果のある換気装置を提供することができる。
【００２４】
また、前記シャッター部と前記フランジ部の間に前記筒状部に相対する位置に気密開口を備えた気密板を設け、その気密板には気密開口を囲う形状で前記筒状部に内接するリブを円筒状に設ける形状とすることにより、制御基板を覆う樹脂壁をシャッター部に干渉せず突出させることができ、シャッター部の気密性を確保しながら、装置を小さくすることができるという効果のある換気装置を提供することができる。
【００２５】
また、ファンを遠心ファンとし、前記気密開口の内縁をオリフィス形状に形成することにより、シャッター部の気密性を確保しながら、部品点数を増やさず、装置を小さくすることができるという効果のある換気装置を提供することができる。
【００２６】
また、シャッター部は、前記気密板と一体に取り外し可能な構造になっていることにより、お手入れの際に、送風部を直接掃除することができるという効果のある換気装置を提供することができる。
【００２７】
また、駆動部に印加する電圧は、シャッター部を開くときに対して保持するとき低くすることを特徴とする制御基板を搭載したことにより、装置の消費電力を低くすることができ、さらに駆動部の発熱が低いため、駆動部の放熱を促す部品を追加することがなく、装置を小さくすることができるという効果のある換気装置を提供することができる。
【００２８】
また、駆動部に印加する電圧は、シャッター部を開くときに前記駆動部の定格の電圧に対して高くすることを特徴とする制御基板を搭載したことにより、駆動部を小さくし、駆動部を配設するフランジ部を薄く形成することができ、装置を小さくすることができるという効果のある換気装置を提供することができる。
【発明を実施するための最良の形態】
【００２９】
本発明の請求項１記載の換気装置は、室内と室外を連通するように、壁部に設けられる風洞パイプに装着させる形状で内部にファンとモータからなる送風部を有し、フランジ部と前記フラン時部を通過させて前記風洞パイプへ連通させる筒形状に形成した筒状部よりなる本体フレームと、前記フランジ部を覆うように設けられる形状で中央部に通風開口が形成される前面パネルと、前記本体フレームの室内側において複数のシャッター板から構成し開閉動作をさせて、モータ停止時に前記筒状部から前記通風開口を通して室内への外気侵入を抑制するシャッター部と、前記シャッター部を駆動する駆動部とを備え、前記駆動部を制御する制御基板は、前記フランジ部に対して垂直に配置することすることを特徴としたものであり、制御基板の形状が換気装置の筒状部の形状に制約されず、方形に形成することができるという作用を有する。
【００３０】
また、制御基板は、前記本体フレームの上部に設置することを特徴としたものであり、フランジ部内部で結露が発生した場合にも、制御基板より下側へ水滴が流れ落ちていくという作用を有する。
【００３１】
また、制御基板は、はんだ面を、本体フレーム上部方向へ向けて配置したことを特徴としたものであり、制御基板の実装部品面側からリード線を接続することとなるという作用を有する。
【００３２】
また、制御基板は、難燃性の樹脂で形成された回路ボックスに完全に覆われて配設されることを特徴としたものであり、制御基板を難燃性の回路ボックスで覆うこととなるという作用を有する。
【００３３】
また、回路ボックスは、前記フランジ部と平行な底面を持つ回路ケースと回路カバーにより構成し、前記制御基板は前記回路ケースの底面に対して垂直にして挿入し、前記回路カバーで押さえて固定することを特徴としたものであり、制御基板の側面を押すことにより挿入することができるという作用を有する。
【００３４】
また、回路ボックスは、前記フランジ部に設けたフランジ開口部に嵌合させ、フランジ部の一部を回路ボックスが兼ねた構成とすることを特徴としたものであり、フランジ部の樹脂壁を回路ボックスが兼ねてフランジ部が構成されることとなるという作用を有する。
【００３５】
また、前記シャッター部と前記フランジ部の間に前記筒状部に相対する位置に気密開口を備えた気密板を設け、その気密板には気密開口を囲う形状で前記筒状部に内接するリブを円筒状に設けることを特徴としたものであり、シャッター部の気密性能を損なわずフランジ部と接する面を小さくし、シャッター部がフランジ部を覆う面積を小さくすることができるという作用を有する。
【００３６】
また、ファンを遠心ファンとし、前記気密開口の内縁をオリフィス形状に形成することを特徴としたものであり、気密板とオリフィス形状を一体とすることができるという作用を有する。
【００３７】
また、シャッター部は、前記気密板と一体に取り外し可能な構造になっていることを特徴としたものであり、お手入れの際に送風部を覆うシャッター部を取り外すことができるという作用を有する。
【００３８】
また、駆動部に印加する電圧は、シャッター部を開くときに対して保持するとき低くすることを特徴とする制御基板を搭載したものであり、換気運転時に駆動部への入力を低く保つことができるという作用を有する。
【００３９】
また、駆動部に印加する電圧は、シャッター部を開くときに前記駆動部の定格の電圧に対して高くすることを特徴とする制御基板を搭載したものであり、容量を小さくした駆動部を設けて、シャッター部を駆動することができるという作用を有する。
【００４０】
以下、本発明の実施の形態について、図面を参照しながら説明する。
【００４１】
（実施の形態１）
図１〜図３に示すように、室内１と室外２を連通するように、壁部３に設けられる風洞パイプ４に装着させる形状で内部にファン５とモータ６からなる送風部７を有し、フランジ部９と前記フランジ部９を通過させて前記風洞パイプ４へ連通させる筒形状に形成した筒状部８よりなる本体フレーム１０と、前記フランジ部９を覆うように設けられる形状で中央部に通風開口１１が形成される前面パネル１２と、前記本体フレーム１０の室内側において複数のシャッター板１３から構成し開閉動作をさせて、モータ６停止時に前記筒状部８から前記通風開口１１を通して室内１への外気侵入を抑制するシャッター部１４とを備え、前記シャッター部１４と前記フランジ部９の間に前記筒状部８に相対する位置に気密開口３２を備えた気密板１５を設け、その気密板１５には気密開口３２を囲う形状で前記筒状部８に内接するリブ１６を円筒状に設ける形状とし、前記気密開口３２の内縁をオリフィス形状１７に形成して設け、シャッター部１４を駆動する駆動部１８を備え、駆動部１８を制御する制御基板１９を本体フレーム１０の上部にフランジ部９に対して垂直な平面に、はんだ面２０を本体フレーム１０上部方向へ向けて配置する。制御基板１９に接続するリード線２１は制御基板１９に垂直に実装部品２２側から導入される。
【００４２】
制御基板１９は、難燃性の樹脂で形成され、フランジ部９と平行な底面２３を持つ回路ケース２４と回路カバー２５により構成した回路ボックス２６に完全に覆われて配設され、回路ボックス２６を、フランジ部９に設けたフランジ開口部２７に嵌合させ、フランジ部９の一部を回路ボックス２６が兼ねる。
【００４３】
回路ケース２４の底面２３に対して制御基板１９は垂直にして挿入し、回路カバー２５で押さえて固定する構成とする。
【００４４】
図４に示すように、シャッター部１４と気密板１５はつめと孔で構成した着脱部２９により一体として、突起部２８と着脱部２９を備え、本体フレーム１０に引掛け部３０と着脱穴３１を設け、引掛け部３０に突起部２８を引掛け、着脱穴３１に着脱部２９を係合することにより取り外し可能な構造としている。
【００４５】
また、制御基板１９はシャッター部１４を開くときに駆動部１８に印加する電圧を定格の電圧に対して高くして、保持するときに駆動部１８に印加する電圧を低くすることを特徴とする換気装置を構成する。
【００４６】
上記構成により、制御基板１９の形状が換気装置の筒状部８の形状に制約されず、方形に形成することができ、フランジ部９内部で結露が発生した場合にも、制御基板１９より下側へ水滴が流れ落ちていき、制御基板１９の実装部品２２面側からリード線２１を接続することとなり、制御基板１９を難燃性の回路ボックス２６で覆うこととなり、制御基板１９の側面を押すことにより挿入することができ、フランジ部９の樹脂壁を回路ボックス２６が兼ねてフランジ部９が構成され、シャッター部１４の気密性能を損なわずフランジ部９と接する面を小さくし、シャッター部１４がフランジ部９を覆う面積を小さくすることができ、気密板１５とオリフィス形状１７を一体とすることができ、お手入れの際に送風部７を覆うシャッター部１４を取り外すことができる。また、換気運転時に駆動部１８への入力を低く保つことができ、容量を小さくした駆動部１８を設けて、シャッター部１４を駆動することができる。
【００４７】
このように本発明の実施の形態１の換気装置によれば、歩留まりの良い制御基板１９が作成でき、制御基板１９上の実装部品２２を配置するスペースを広く取ることができ、実装部品２２が増加しても装置のサイズを小さくすることができる。また、制御基板１９に水滴が付着することなく、はんだ面２０からの放熱を促進させ、実装部品２２の温度上昇を低減することができ、また、リード線２１の被覆が実装部品２２の発熱にさらされたり、実装部品２２にと干渉する可能性が低く、比較的高価である難燃性の樹脂の使用量を低減しながら、より信頼性が高まり、制御基板１９の平面部を押さえながら挿入することがないので、制御基板１９の割れの可能性が低く、実装部品２２を手で押すことがないため、はんだクラックを発生する可能性が低く、制御基板１９と本体枠表面との間をフランジ部９と回路ボックス２６の２重構造とすることがないため、装置を薄型に形成することができ、また、制御基板１９のサイズを確保し、制御基板１９を覆う樹脂壁をシャッター部１４に干渉せず突出させることができ、シャッター部１４の気密性を確保しながら、部品点数を増やさず、装置を小さくすることができる。また、お手入れの際に、送風部７を直接掃除することができる。また、装置の消費電力を低くすることができ、さらに駆動部１８の発熱が低いため、駆動部１８の放熱を促す部品を追加することがなく、駆動部１８を小さくし、駆動部１８を配設するフランジ部９を薄く形成することができ、装置を小さくすることができることとなる。
【００４８】
なお、本実施の形態では、制御基板１９を水平に配設したが、垂直に配置してもよく、装置を小さくする効果が得られることは言うまでもない。また、シャッター部１４と気密板１５を突起部２８と着脱部２９により取り外し可能としたが、他の係合手段を用いて取り外し可能としてもよく、同様の効果が得られることは言うまでもない。
【産業上の利用可能性】
【００４９】
本発明に係る制御基板の配設構成は、実装部品を配置するスペースを広く取ることにより装置を小さくすることができ、空調機、送風機に設けられる制御基板の配設構成にも適用できる。
【図面の簡単な説明】
【００５０】
【図１】本発明の実施の形態１の換気装置の制御基板配置を示す断面図
【図２】同換気装置の設置状態を示す断面図
【図３】同換気装置の制御基板配置を示す背面図
【図４】同換気装置のシャッター部取り外し状態を示す分解図
【図５】従来の換気装置のシャッター部取り外し状態を示す分解図
【図６】従来の換気装置の制御基板配置を示す背面図
【符号の説明】
【００５１】
１    室内
２    室外
３    壁部
４    風洞パイプ
５    ファン
６    モータ
７    送風部
８    筒状部
９    フランジ部
１０  本体フレーム
１１  通風開口
１２  前面パネル
１３  シャッター板
１４  シャッター部
１５  気密板
１６  リブ
１７  オリフィス形状
１８  駆動部
１９  制御基板
２０  はんだ面
２３  底面
２４  回路ケース
２５  回路カバー
２６  回路ボックス
２７  フランジ開口部
３２  気密開口
【図１】
2008241103.tif 000003
【図２】
2008241103.tif 000004
【図３】
2008241103.tif 000005
【図４】
2008241103.tif 000006
【図５】
2008241103.tif 000007
【図６】
2008241103.tif 000008